(57)【特許請求の範囲】
【請求項１】
電気的に加熱可能な熱応動性の作動部材（１０）を有し、前記作動部材（１０）はハウジング（１１）を有し、かつ前記作動部材（１０）の作動ピストン（１２）が弁部材（１３）に作用し、その弁部材（１３）は支持台（２５）に支持されたリターンスプリング（２４）によって付勢されており、その弁部材（１３）はハウジング（１１）をケージ状に包囲しており、かつ弁皿形状のフランジ（１４）を有しており、そのフランジ（１４）は弁座（１６）と共働するようにされており、かつハウジング（１１）に対してシールされている、内燃機関の冷媒循環のためのサーモスタット弁において、
ベースプレート（１７）が設けられており、前記ベースプレート（１７）に、作動部材（１０）のハウジング（１１）と、リターンスプリング（２４）のための支持台（２５）が取付けられ、作動部材（１０）のハウジング（１１）が前記ベースプレート（１７）により動かないように支持され、
熱応動性の作動部材（１０）のハウジング（１１）に、リングカラー（１９）が設けられており、前記リングカラーがシールリング（２１）を収容しており、前記シールリングは、弁部材の弁皿状のフランジ（１４）に接続された首部（１８）と共働するようにされており、
ベースプレート（１７）の内側のカラー（２２）が、熱応動性の作動部材（１０）のハウジング（１１）のリングカラー（１９）に支持されている、
ことを特徴とするサーモスタット弁。
【請求項２】
ベースプレート（１７）は、弁部材（１３）の弁皿状のフランジ（１４）と共働するようにされた弁座（１６）を有していることを特徴とする請求項１に記載のサーモスタット弁。
【請求項３】
支持台（２５）は、少なくとも２つの脚（２６）によってベースプレート（１７）に保持されていることを特徴とする請求項１または２に記載のサーモスタット弁。
【請求項４】
ベースプレート（１７）に、ウェブ（２３）を介して接続された内側のカラー（２２）が設けられており、前記カラーに熱応動性の作動部材（１０）のハウジング（１１）が保持されていることを特徴とする請求項１から３のいずれか１項に記載のサーモスタット弁。
【請求項５】
ベースプレート（１７）がハウジング部分（２８）に固定されており、前記ハウジング部分には、冷媒循環のための少なくとも１つのスリーブ（３３）と電気的な導線のための接続部が設けられていることを特徴とする請求項１から４のいずれか１項に記載のサーモスタット弁。
【請求項６】
熱応動性の作動部材（１０）のハウジング（１１）の、作動ピストン（１２）とは逆の端部が、ハウジング部分（２８）のキャップ形状のガイド（３１）内へ差し込まれていることを特徴とする請求項５に記載のサーモスタット弁。
【発明の詳細な説明】
【０００１】
【発明の属する技術分野】
本発明は、電気的に加熱可能な熱応動性の作動部材を有し、その作動部材のハウジングは固定であって、かつその作動ピストンは、支持台に支持されたリターンスプリングによって付勢された弁部材に作用し、その弁部材はハウジングをケージ状に包囲しており、かつ弁皿状のフランジを有し、そのフランジが弁座に対応づけられ、かつハウジングに対してシールされている、内燃機関の冷媒循環のためのサーモスタット弁に関する。
【０００２】
【従来の技術】
ドイツ公開公報ＤＥ−Ａ４２３３９１３から知られているような、冒頭で挙げた種類のサーモスタット弁は、その中に電気的な接続端が導入される、熱応動性作動部材のハウジングが固定的に配置されているので、電気的な接続端はつられて動く必要はなく、さらに流れる冷媒の外部に配置することができる、という利点を有している。
【０００３】
【発明が解決しようとする課題】
本発明の課題は、冒頭で挙げた種類のサーモスタット弁を、そのサーモスタット弁がその中に組み込まれる、ハウジングの構造的な形態にほとんど依存しないように形成することである。
【０００４】
【課題を解決するための手段】
この課題は、ベースプレートが設けられており、そのベースプレートに作動部材とリターンスプリングのための支持台とが取付けられていることによって、解決される。
【０００５】
このようにして、サーモスタット弁の主要な部材は入れ子を形成し、その入れ子が内部に熱応動性の作動部材のハウジングとリターンスプリングの支持台のための支持力を吸収するので、このサーモスタットをその中へ組み込むべきハウジング内へは、取り立てて言うほどの力は導入されない。それによって、この種のハウジングの形態について、大きい構造的な自由度が得られる。
【０００６】
好ましくはさらに、ベースプレートは、弁ハウジングの弁皿状のフランジに対応づけられた弁座を有している。それによってすべての機能部材が、入れ子の構成部分となる。
【０００７】
本発明の他の態様においては、ベースプレートには、ウェブを介して接続された内側のカラーが設けられており、そのカラーに熱応動性の作動部材のハウジングが保持されている。それによって、極めてコンパクトな組み立て方法が得られる。
【０００８】
本発明の他の態様においては、作動部材のハウジングにリングカラーが設けられており、そのリングカラーがシールリングを収容し、そのシールリングは弁部材の弁皿状のフランジに接続された首部に対応づけられている。それによって、弁部材と作動部材のハウジングとの間に、より確実なシールが得られる。好ましくはさらに、ベースプレートの内側のカラーは、熱応動性作動部材のハウジングのリングカラーに支持されている。それによってこのリングカラーは、第２の機能を有する。
【０００９】
本発明の他の態様においては、ベースプレートはハウジング部分に固定されており、そのハウジング部分には、冷媒循環のための少なくとも１つのスリーブと電気的な導線のための接続部が設けられている。それによって、サーモスタット弁が接続部分を形成し、その接続部分にエンジンブロックなどを接続することができ、面倒な取付け作用が必要とされない。他の形態においては、熱応動性の作動部材のハウジングの、作動ピストンとは逆の端部が、好ましくはプラスチックから形成されたハウジング部分のキャップ形状のガイド内へ差し込まれている。このキャップ形状のガイドは、一方では、熱応動性の作動部材を保持するために、そして他方では熱応動性の作動部材を、特に冷たい冷媒内において、熱的に絶縁するために用いられるので、熱応動性の作動部材を加熱する際に多すぎるエネルギが失われることがない。
【００１０】
【発明の実施の形態】
本発明の他の特徴と利点は、図面に示す実施形態の以下の説明から明らかにされる。
サーモスタット弁は、熱応動性の作動部材１０を有しており、その作動部材は金属、たとえば真鍮からなるハウジング１１を有している。このハウジングは、旋盤加工部品である。ハウジングは、膨張物質、たとえばワックス混合物を内部に有しており、そのワックス混合物はワックスの混合によって調節可能な温度において集合状態を変化させ、それによって体積を増減する。ハウジング１１の、膨張物質によって充填された内部空間は、袋状の膜材によって外側へ向かってシールされており、その膜材内に作動ピストン１２が挿入されている。
【００１１】
ハウジング１１内の膨張物質の領域には、たとえばＤＥ−Ａ４４４４６８５またはＤＥ−Ａ１９５０１１４０から知られているような、電気的な発熱素子が配置されている。この電気的な発熱素子へ、ハウジング１１の作動ピストン１２とは対向する前側を通して電気的な供給線が導かれている。
【００１２】
ハウジング１１内にある膨張物質が膨張した場合には、作動ピストン１２は押し出され、ハウジング１１はそこに留まる。作動ピストンは押し出される際に、作動部材１０のハウジング１１をケージ状に包囲する弁部材１３を連動させる。弁部材１３は、作動ピストン１２とは反対側の領域に弁皿状のフランジ１４を有しており、そのフランジの外側端縁の領域には、シール１５が設けられている。この弁皿状のフランジ１４に対向するように弁座１６が配設されており、その弁座は一周するリングとなっており、そのリングはベースプレート１７の構成部分である。
【００１３】
弁部材１３の弁皿状のフランジ１４の内側には、円筒状の首部１８が連続しており、その首部によって弁部材は熱応動性の作動部材１０のハウジング１１に対してシールされている。ハウジング１１にはリングカラー１９が設けられており、そのリングカラーに環状溝２０が形成されており、その環状溝がシールリング２１を収容している。
【００１４】
ベースプレート１７には、内側のカラー２２が設けられており、そのカラーは比較的大きい自由な流れ断面を残してウェブ２３によって弁座１６の領域に接続されている。その内側の縁がフランジとして形成されている、カラー２２は、作動ピストン１２とは逆の側において、ハウジング１１のリングカラー１９に支持されている。
【００１５】
好ましくはカラー２２とそれに伴ってベースプレート１７は、他の方向においても、たとえば溶接またはフランジ形成などによって、ハウジング１１に固定されている。
【００１６】
弁部材１３は、弁皿状のフランジ１４の領域においてリターンスプリング２４によって付勢されており、そのリターンスプリングは支持台２５に支持されている。支持台２５には脚２６が設けられており、その脚はベースプレート１７に固定され、たとえば溶接されている。もちろん、溶接する代わりに、従来技術から知られているように、相補形状の結合を設けることもできる。
【００１７】
膨張物質の体積増大によって作動ピストン１２が熱応動性の作動部材１０のハウジング１１から押し出された場合に、その作動ピストンはリターンスプリング２４の作用に抗して弁部材１３を連動させる。その場合にハウジング１１にとって必要な支持力は、ベースプレート１７のカラー２２によって吸収され、そのカラーはハウジング１１のリングカラー１９に支持されている。リターンスプリング２４の力は、支持台２５から脚２６を介して同様にベースプレート１７へ導入されるので、すべての操作力は上述した構成ユニットの内部で吸収されて、ハウジングなどへ伝達されることはない。ベースプレート１７、弁部材１３および脚２６を備えた支持台２５は、金属から形成されているので、大きい力を吸収することができる。従ってサーモスタット弁を収容するハウジングの構造的な形態について、およびハウジングのために使用すべき材料に関して、比較的大きい自由度が得られる。
【００１８】
図３に示す実施例においては、図１、２を用いて説明されたサーモスタット弁は、プラスチックからなる屋根状のハウジング部分２８と共に１つのアッセンブリにまとめられている。ハウジング部分２８にはフランジ２９が設けられており、そのフランジによってハウジング部分は構成部分、たとえば内燃機関のエンジンブロックに、接続される。その場合に、一周する端縁を有するベースプレート１７は、これら２つの部分間に挟持される。フランジ２９内に、一周するシールリング３０が挿入されており、そのシールリングはベースプレート１７に添接する部分と、他の構成部分に添接する部分とを有している。従ってこのシールリング３０は、二重のシール機能を有している。
【００１９】
ハウジング部分２８は、内側にキャップ形状のガイド３１を有しており、その中へ、熱応動性の作動部材１０のハウジング１１の、作動ピストン１２とは逆の端部が挿入されている。キャップ形状のガイド３１の内部空間は、ハウジング１１の環状溝へ導入されたシールリング３２によって、冷媒を案内する領域に対してシールされている。
【００２０】
キャップ形状のガイド３１は、少なくとも１つのウェブを介してハウジング部分２８の外側ジャケットと結合されており、そのウェブはホーススリーブ３３に対して十分に大きい流れ断面を残している。熱応動性作動部材１０の発熱素子へ至る給電線は、ウェブを通して外部から詳しく図示されない方法で熱応動性の作動部材１０のハウジング１１へ導かれている。
【００２１】
ハウジング部分２８は、さらに、ベースプレート１７と接続されている。ベースプレート１７の、一周する端縁の領域には、多数の切欠き３４が形成されており、その切欠きは図２においても見られる。ハウジング部分２８の突出部３５がこれらの切欠きを通して突出しており、それら突出部はクリップ結合部として形成されるか、あるいは加熱によってリベット状に変形されている。
【図面の簡単な説明】
【図１】入れ子として形成された、本発明に基づくサーモスタット弁の、図２のＩ−Ｉ線に沿った断面図である。
【図２】図１の矢印IIの方向に見た側面図である。
【図３】サーモスタット弁を収容するハウジング部分を含む図２のIII−III線に沿った断面図である。
【符号の説明】
１０…作動部材
１１…ハウジング
１２…作動ピストン
１３…弁部材
１４…フランジ
１５…シール
１６…弁座
１７…ベースプレート
１８…首部
１９…リングカラー
２０…環状溝
２１、３０、３２…シールリング
２２…カラー
２３…ウェブ
２４…リターンスプリング
２５…支持台
２８…ハウジング
２９…フランジ
３０、３２…シールリング
３１…ガイド
３４…切欠き
３５…突出部
【図１】
0003740035.tif 000002
【図２】
0003740035.tif 000003
【図３】
0003740035.tif 000004